(57)【要約】【課題】プラント監視用のルール作成を極めて容易に行うことができ、オペレータの負担を軽減したプラント監視支援システムを提供する。【解決手段】プラントコントローラ２からネットワークを経由して取り込まれる各プロセスデータに対して第１〜第５タグ割付部１１〜１５によって予めタグを割り付け、ルール作成部１７でこれらの各タグを用いてプラント監視用のルールを作成する。ルール演算部１８でこのタグを用いたルールに従ってプロセスデータに対して演算を実施してルールで規定された監視条件の成立時には注意喚起用のメッセージをオペレータに対して報知する。【選択図】        図１
2005004598.tif 000002
【特許請求の範囲】
【請求項１】
プラントを制御するプラントコントローラからネットワークを経由して取り込まれるプロセスデータの組み合わせによって予見しうる事象を登録しておき、この予見事象の成立時にその旨をオペレータに対して報知するプラント監視支援システムであって、
上記の各プロセスデータに対応して変数名となるタグを個別に割り付けるタグ割付手段と、予見事象に対応して成立すべきプロセスデータの組み合わせ条件およびその条件の必要継続時間を、上記タグ割付手段で割り付けられたタグを用いた一つのルールとして作成するとともに、このルールに従った条件成立時に出力すべき注意喚起用のメッセージを登録するルール作成手段と、このルール作成手段によって作成されたルールに従ってプロセスデータを演算処理して条件成立の有無を判定するルール演算手段と、このルール演算手段により条件成立有りと判定された場合には、これに応じて上記ルール作成手段に予め登録されているメッセージを出力するメッセージ出力手段と、上記ルール演算手段の演算結果の出力タイミングにあわせて上記ルール作成部に登録されているメッセージを時系列的に記録する記録手段と、を備えることを特徴とするプラント監視支援システム。
【請求項２】
上記ルール作成手段において作成された一つのルールに対して新たに一つのタグを割り付けるタグ再割付手段を備えることを特徴とする請求項１に記載プラント監視支援システム。
【請求項３】
上記メッセージ出力手段から出力されるメッセージを音声に変換する音声再生手段を備えたことを特徴とする請求項１または請求項２に記載のプラント監視支援システム。
【請求項４】
上記メッセージ出力手段から出力されるメッセージを上記プラントコントローラに対して送信するように構成されていることを特徴とする請求項１ないし請求項３のいずれか１項に記載のプラント監視支援システム。
【請求項５】
マンマシンインタフェイスから与えられるプロセスデータの模擬信号と、上記プラントコントローラからネットワークを経由して取り込まれるプロセスデータとのいずれか一方を選択して上記ルール演算手段に出力するデータ切換手段を備えることを特徴とする請求項１ないし請求項４のいずれか１項に記載のプラント監視支援システム。
【発明の詳細な説明】
【０００１】
【発明の属する技術分野】
本発明は、各種のプラントにおける稼働状況を監視支援するプラント監視支援システムに関する。
【０００２】
【従来の技術】
従来のプラント監視支援システムにおいては、次のような構成を備えたものが提案されている（例えば、特許文献１，２等参照）。
【０００３】
すなわち、従来のプラント監視支援システムでは、プラントの稼働状況を監視するためのルールを予め定義するガイダンスルール定義部を設けている。そして、プロセスコントローラが各種のプラントからデータを取り出し、これを定義ルール実行部に出力する。定義ルール実行部は、上記のガイダンスルール定義部により定義されたルールに従ってプロセスデータに対して演算処理を実行し、その演算結果をガイダンスメッセージ出力部に出力する。そして、その演算結果がオペレータが予め設定した要注意の運転状態に達していることを示している場合には、ガイダンスメッセージ出力部がその旨のメッセージをマンマシンインタフェイスのディスプレイに表示する。
これにより、経験の浅いオペレータでも的確かつ容易にプラント監視業務を遂行できるようにしている。
【０００４】
【特許文献１】
特開２００２−１０８４４４号公報
【特許文献２】
特開平４−１６０５９８号公報
【０００５】
【発明が解決しようとする課題】
上記の特許文献１，２に記載されているような従来のプラント監視支援システムでは、プラントコントローラからネットワークを経由して取り込まれる特定のプロセスデータを組み合わせてプラント監視用の種々のルールを定義して行く場合、プロセスデータごとに信号名称やネットワーク上での絶対アドレスを把握しながらルールを定義したプログラムを作成している。
【０００６】
ところで、設備の追加や変更等のためにプロセスデータの信号名称やネットワーク上での絶対アドレスが変更されることがあるが、従来では、上記のようにルールを定義する場合、信号名称や絶対アドレスを含めた記述がなされているので、信号名称や絶対アドレスなどが変更されると、これに応じてルールを記述したプログラム内容についても修正を加える必要が生じている。
そのため、プログラムの修正作業に過大な労力と時間を要し、オペレータの負担が大きかった。また、修正が煩雑化するため修正ミスも生じ易かった。
【０００７】
さらに、従来は複数のルールを組み合わせて新たに一つのルールを作成する場合、同じ論理回路の組み合わせを繰り返して記述する必要が生じてルール作成が煩雑化したり、また、プロセスデータのアナログ量の変化をモニタするために時間経過の概念を加えねばならない場合には、ルールを定義したプログラムを作成するのが難しく、この点でもオペレータの負担が大きかった。
【０００８】
本発明は、上記の課題を解決するためになされたもので、プラント監視用のルール作成を極めて容易に行うことができ、オペレータの負担を軽減したプラント監視支援システムを提供することを目的とする。
【０００９】
【課題を解決するための手段】
本発明は、上記の目的を達成するために、プラントを制御するプラントコントローラからネットワークを経由して取り込まれるプロセスデータの組み合わせによって予見しうる事象を登録しておき、この予見事象の成立時にその旨をオペレータに対して報知するプラント監視支援システムであって、上記の各プロセスデータに対応して変数名となるタグを個別に割り付けるタグ割付手段と、予見事象に対応して成立すべきプロセスデータの組み合わせ条件およびその条件の必要継続時間を、上記タグ割付手段で割り付けられたタグを用いた一つのルールとして作成するとともに、このルールに従った条件成立時に出力すべき注意喚起用のメッセージを登録するルール作成手段と、このルール作成手段によって作成されたルールに従ってプロセスデータを演算処理して条件成立の有無を判定するルール演算手段と、このルール演算手段により条件成立有りと判定された場合には、これに応じて上記ルール作成手段に予め登録されているメッセージを出力するメッセージ出力手段と、上記ルール演算手段の演算結果の出力タイミングにあわせて上記ルール作成部に登録されているメッセージを時系列的に記録する記録手段と、を備えることを特徴としている。
【００１０】
これにより、プラントコントローラからネットワークを経由して取り込まれるプロセスデータの信号名称やネットワーク上での絶対アドレスが変更された場合でも、ルールを定義するプログラム内容を特に変更する必要はなく、タグの割り付けを変更するだけで済むため、プラント監視用のルール作成を極めて容易に行うことができ、オペレータの負担を軽減することができる。
【００１１】
【発明の実施の形態】
実施の形態１．
図１は本発明の実施の形態１に係るプラント監視支援システムの全体構成を示すブロック図である。
【００１２】
この実施の形態１のプラント監視支援システム１は、プラントを制御するプラントコントローラ２からネットワークを経由して取り込まれるプロセスデータに基づいてプラントの稼働状況を監視する中央情報処理装置３を備える。
なお、図１ではプラントコントローラ２は単一のものしか示していないが、複数のプラントが存在する場合には、各プラントごとにプラントコントローラ２が設けられており、各プラントコントローラ２はネットワークを介して中央情報処理装置３と接続されている。
【００１３】
上記の中央情報処理装置３は、マンマシンインタフェイス５、ネットワークインタフェイス６、第１〜５の各タグ割付部１１〜１５、ルール作成部１７、ルール演算部１８、出力指令部１９、記録部２０、ＷＡＶファイル再生部２１、メッセージ出力部２２、および履歴データ出力部２３を主体に構成されている。
【００１４】
マンマシンインタフェイス５は、オペレータが各部１１〜１５，１７，２２，２３に対してアクセスを行うものであり、図示しないマウスやキーボード等の入力装置とディスプレイ等の表示装置を備えている。
また、ネットワークインタフェイス６は、プラントコントローラ２とネットワークを介してアクセスする。
【００１５】
第１タグ割付部１１は、ネットワークインタフェイス６を介して取り込まれる各プロセスデータの内、特にプラントからのオン／オフ状態を示す２値のステータス信号に対応してタグという変数名を個別に割り付ける機能を有する。例えば、ステータス信号が“１”で、このときに割り付けるタグ（変数名）がＡのときにはＡ＝１となる。
【００１６】
第２タグ割付部１２は、ネットワークインタフェイス６を介して取り込まれる各プロセスデータの内、特にプラントからのアナログ信号をデジタル化した後の３２ビットフローティングデータに対応してタグという変数名を個別に割り付ける機能を有する。例えば、アナログ信号をデジタル化した後の３２ビットフローティングデータが“０７０ＦＥ１５ＡＨ”で、タグ（変数名）がＢのときにはＢ＝“０７０ＦＥ１５ＡＨ”となる。
【００１７】
第３タグ割付部１３は、ネットワークインタフェイス６を介して取り込まれる各プロセスデータの内、特にプラントからの積算値を示すアナログ信号をデジタル化した後の３２ビットインテジャー（整数）データに対応してタグという変数名を個別に割り付ける機能を有する。
例えば、アナログ信号をデジタル化した後の３２ビットインテジャーデータが“８１Ｂ３２ＦＦ０Ｈ”で、タグ（変数名）がＣのときにはＣ＝“８１Ｂ３２ＦＦ０Ｈ”となる。
【００１８】
第４タグ割付部１４は、第２タグ割付部１２で割り付けられたタグを使用した四則演算式を作成して予め登録しておき、その演算結果に新たなタグを割り付ける機能を有する。例えば、第２タグ割付部１２で割り付けられるタグをＢ１，Ｂ２，Ｂ３とし、新たに割り付けるタグ（変数名）をＤとしたとき、例えば、Ｄ＝Ｂ１・Ｂ２＋Ｂ３というように互いのタグが関連付けられる。これにより、一層複雑な演算にも対応できるようになる。
【００１９】
第５タグ割付部１５は、ルール作成部１７で作成された一つのルールに対して新たに一つのタグを割り付ける機能を有する。
これにより、ＡＮＤ回路やＯＲ回路を組み合わせて一つのルールを構築した際、そのルールの演算結果を一つの信号として取り扱うことができるため、プラントの状態を予見する際に、深い階層での推論が可能になる。
【００２０】
そして、上記の第１〜４の各タグ割付部１１〜１４が、特許請求の範囲におけるタグ割付手段に相当し、また、第５タグ割付部１５が特許請求の範囲におけるタグ再割付手段に相当している。
【００２１】
ルール作成部１７は、特許請求の範囲におけるルール作成手段に相当するもので、マンマシンインタフェイス５からの入力操作信号に基づき、上記の第１〜第５タグ割付部１１〜１５でそれぞれ割り付けられたタグを用いてプラント監視用の各ルールを作成するとともに、このルールで規定された監視条件が成立した時に出力すべき注意喚起用のメッセージが登録できるようになっている。
また、このルール作成部１７は、このようにして作成されたルールに付される登録番号と音声再生用のＷＡＶファイルのファイル名との対応付けを行うようにしている。
【００２２】
さらに、このルール作成部１７には、継続時間条件設定部２４が組み込まれている。この継続時間条件設定部２４は、各タグに対応したプロセスデータの時間因子として必要継続時間の条件を設定するものである。
これにより、登録されたタグに関するプラントのオン／オフ状態が一定時間以上継続しているか否か、あるいはアナログ量がしきい値を越えて一定時間以上継続しているか否かを検出するためのルール作成が可能になる。
【００２３】
ルール演算部１８は、特許請求の範囲におけるルール演算手段に相当するもので、プラントコントローラ２から与えられる各プロセスデータをルール作成部２４で作成されたルールに従って演算処理することでルールで規定される条件が成立するか否かを判定し、その判定結果を出力するものである。
【００２４】
出力指令部１９は、ルール演算部１８による判定結果に基づいて各ルールの成立条件に対応したメッセージの出力指令をメッセージ出力部２２に出力するとともに、ルール作成部１７に予め登録されている各ルールに対応したＷＡＶファイルのファイル名を指定して音声再生指令をＷＡＶファイル再生部２１に出力するものである。
【００２５】
記録部２０は、特許請求の範囲における記録手段に相当するもので、ルール演算部１８による判定結果の出力タイミングに併せてルール作成部２４に予め登録されている各ルールに対応した注意喚起用のメッセージが時系列的に記録されるものであり、これにより、メッセージの出力履歴が分かるようにしている。
【００２６】
ＷＡＶファイル再生部２１は、特許請求の範囲における音声再生手段に相当するもので、各ルールに対応したメッセージが音声としてＷＡＶファイルに予め登録されている。
その場合、各ルールの登録番号がそのまま再生するＷＡＶファイルのファイル名に対応するようにしている。例えば、あるルールを番号“５”に登録した場合、このルールに対応するＷＡＶファイルのファイル名は５．ｗａｖとなる。
したがって、出力指令部１９からの音声再生指令に応じて各ルールに対応したＷＡＶファイルのファイル名が指定されることでメッセージが音声に変換されて出力される。
【００２７】
メッセージ出力部２２は、特許請求の範囲におけるメッセージ出力手段に相当するもので、出力指令部１９からのメッセージ出力指令に応じてルール作成部１７で予め作成されたメッセージをマンマシンインタフェイス５に出力するものである。
この場合、表示方式はホップアップで表示されるウィンドウ形式を採用し、オペレータに対して素早く注意を喚起するようにしている。
【００２８】
履歴データ出力部２３は、記録部２０に時系列的に蓄積されている過去の出力メッセージをマンマシンインタフェイス５に出力するものである。これにより、過去に発生した事象の把握や解析を容易に行えるようにしている。
【００２９】
次に、上記構成を備えたプラント監視支援システム１におけるプラント監視用のルール作成手順、およびその作成されたルールに基づくプラント監視動作について説明する。
なお、ここでは理解を促すためにプラントで使用される原料切出装置を例にとって説明する。ただし、本発明はこのような原料切出装置に限定されるものでないことは勿論である。
【００３０】
図２は原料切出装置の構成図である。この原料切出装置３１は、原料ｐを貯留するタンク３２、原料ｐの貯留量（高さ）を検出するレベルセンサ３３、タンク３２から出た原料ｐを図示しない次の設備に向けて搬送するベルトコンベヤ３４、ベルトコンベヤ３４による原料ｐの搬送量を計測する原料計量センサ３５、およびベルトコンベヤ３４を駆動するモータ３６を備えている。
【００３１】
そして、原料切出装置３１の稼働状況を監視できように、プラントコントローラ２には、レベルセンサ３３から出力される原料ｐの高低を示す２値のレベルステータス信号Ｓ１、原料計量センサ３５から出力される原料搬送量を示す搬送量アナログ信号Ｓ２、およびモータ３６の運転の有無を示す２値の運転ステータス信号Ｓ３がそれぞれ取り込まれるようになっている。
【００３２】
図３はルール作成用画面の一例を示すもので、ルール作成ウィンドウ４１には、ルール番号登録欄４２、出力メッセージ登録欄４３、表示内容クリアボタン４４、表示内容登録実行ボタン４５、ルール番号戻しボタン４６、ルール番号送りボタン４７、ルールの構成要素を区別するための番号欄４８、タグ名称登録欄４９、タグコメント表示欄５０、比較子登録欄５１、アナログ信号の比較対照値を記入する境界値欄５２、データの単位を登録する単位欄５３、信号状態の継続時間の“分”条件を記入する分記入欄５４、信号状態の継続時間の“秒”条件を記入する秒記入欄５５、およびルールの構成要素間の関係が論理和であるか論理積であるかを登録する条件欄５６などが確保されている。
【００３３】
図２に示した原料切出装置３１において、ベルトコンベヤ３４をモータ３６で駆動して連続的に原料ｐを次の設備に供給する場合、オペレータは、タンク３２内に常に原料ｐが一定レベル以上貯留されているか否かを監視する必要がある。通常、原料ｐの貯留量の高低をレベルステータス信号Ｓ１で検出し、原料ｐの高さが一定レベル以下になると、プラントコントローラ２は原料ｐが少なくなったと判断してタンク３２への原料補給を実行する。
【００３４】
ところが、レベルセンサ３３で原料ｐの高低が正常に検出できないような異常状態、例えば原料ｐが局所的に固まってタンク３２底部の排出口から円滑に出て行かないブリッジ現象が発生すると、レベルセンサ３３から出力されるレベルステータス信号Ｓ１に変化が現れないため、タンク３２内の原料ｐの貯留量が実際には大幅に減少しているにもかかわらず、プラントコントローラ２はタンク３２への原料補給動作を行わない。
その結果、ある時間が経過するとタンク３２から原料ｐを排出できなくなり、次の設備への原料供給が不可能になってプラントを停止せざるをえないという事態に陥る。
【００３５】
そこで、このような事態発生を未然に防ぐために、上記のような予見事象に対応して成立すべきプロセスデータの組み合わせ条件を予め規定したルールを作成する。
ここでは、レベルセンサ３３から出力されるレベルステータス信号Ｓ１、原料計量センサ３５から出力される原料搬送量を示す搬送量アナログ信号Ｓ２、およびベルトコンベヤ３４の運転状態を示す運転ステータス信号Ｓ３を用いてオペレータに事前に注意喚起を促すためのルールを作成する。
【００３６】
ここでは、例えば“タンクのレベルが基準値よりも低くない”、かつ“ベルトコンベヤが運転中である”、かつ“ベルトコンベヤの原料搬送量が１トン／時間以下である状態が５分以上継続した”という条件を全て満たすとき、タンク３２内に原料ｐの偏りが発生している可能性があると考え、この条件を規定したルールを作成することとする。
【００３７】
そこで、オペレータは、マンマシンインタフェイス５を操作して図３に示したルール作成ウィンドウ４１を見ながら、まず、ルール番号登録欄４２にルール番号を登録する。前述のごとくＷＡＶファイルのファイル名はここで登録されたルール番号に対応している。
次に、出力メッセージ登録欄４３にオペレータに対して注意を喚起するためのメッセージを登録する。この例では、“タンク内で原料の偏りが発生している可能性があります”というメッセージを登録する。
【００３８】
引き続いて、マンマシンインタフェイス５を操作して第１タグ割付部１１および第２タグ割付部１２によってレベルセンサ３３から出力される原料の高低を示す２値のレベルステータス信号Ｓ１、原料計量センサ３５から出力される原料搬送量を示す搬送量アナログ信号Ｓ２、およびモータ３６の運転の有無を示す２値の運転ステータス信号Ｓ３に対してそれぞれ個別にタグを割り付ける。
【００３９】
そのためには、例えばタグ名称登録欄４９に、それぞれタグ名称“ＴＡＮＫＬＶ”、“ＢＣＲＵＮ”、“ＭＡＴ”を登録する。これにより、レベルセンサ３３から出力される原料の高低を示す２値のレベルステータス信号Ｓ１に対しては第１タグ割付部１１によってタグ“ＴＡＮＫＬＶ”が、原料計量センサ３５から出力される原料搬送量を示す搬送量アナログ信号Ｓ２に対しては第２タグ割付部１２によってタグ名“ＢＣＲＵＮ”が、モータ３６の運転の有無を示す２値の運転ステータス信号Ｓ３に対しては第１タグ割付部１１によってタグ名“ＭＡＴ”がそれぞれ割り付けられる。
このようにすることで、ネットワーク上の絶対アドレスを意識しなくてもタグ（変数名）を用いたルールを作成することが可能になる。
【００４０】
また、タグコメント表示欄５０には、各ルールの構成要素の内容が分かるように、“タンクレベル低”、“ベルトコンベヤ運転”、“原料搬送量”を記述する。さらに、レベルステータス信号Ｓ１に対応したタグを登録する際の比較子登録欄５１には、“タンクのレベルが基準値よりも低くない”という否定を意味する“＄”を登録する。
また、“ベルトコンベヤの原料搬送量が１トン／時間以下である状態が５分以上継続した”という事象については、当該タグの境界値欄５２に“１”、単位欄５３に“Ｔ／Ｈ”、分記入欄５４に“５”、比較子登録欄５１に“＜（小なり）”をそれぞれ登録することによって判断できるようにする。最後にこれらの構成要素の関係（ここでは“ＡＮＤ”）を条件欄５６に記載することによりルール作成が完成する。そして、表示内容登録実行ボタン４５を操作することで、作成されたルールが登録される。
【００４１】
ルール演算部１８は、プラントコントローラ２から常時入力されるプロセスデータに対して、上述のようにしてルール作成部１７で作成されたタグを用いたルールに従った演算を実施して条件成立の有無を判定する。
そして、ルールが成立した場合には、原料切出装置３１のタンク３２内に原料ｐの偏りが発生している可能性があるので、その旨をオペレータに通知すべく、出力指令部１９に対してメッセージ出力要求およびＷＡＶファイルの再生要求を与える。同時に記録部２０に対してルールに対応したメッセージの記録を指示する。
【００４２】
これに応じて出力指令部１９は、メッセージ出力部２２に対してメッセージ出力指令を出力する。これにより、メッセージ出力部２２はルール作成部１７で予め作成された“タンク内で原料の偏りが発生している可能性があります”というメッセージをマンマシンインタフェイス５に出力する。
【００４３】
また、出力指令部１９は、ＷＡＶファイル再生部２１に対して、ルールに対応したＷＡＶファイルのファイル名を指定した再生指令を与える。これに応じてＷＡＶファイル再生部２１は、その指定されたＷＡＶファイルを再生する。
これにより、メッセージが音声に変換されて出力されるため、従来の警報音のみによるオペレータへの注意喚起に比べて、オペレータはプラントの設備にどのような事象が発生しているのかを具体的かつ迅速に把握することができ、その後の対処の仕方が容易になる。
【００４４】
記録部２０は、ルール演算部１８からのメッセージの記録指示に応じてルール作成部１７に予め登録されている各ルールに対応したメッセージを時系列的に記録する。そして、必要に応じてマンマシンインタフェイス５から記録データの読み出し指示を与えることにより、記録部２０に記録されたメッセージの履歴が履歴データ出力部２２を経由してマンマシンインタフェイス５に出力される。
【００４５】
このように、この実施の形態１では、プラントコントローラ２からネットワークを経由して取り込まれる各プロセスデータに対して第１〜第５タグ割付部１１〜１５によって予めタグを割り付け、ルール作成部１７ではこの各タグを用いてルールを作成しているので、信号名称やネットワーク上での絶対アドレスが変更された場合でも、ルールを定義するプログラム内容を特に変更する必要はなく、タグの割り付けを変更するだけで済むようになる。
このため、プラント監視用のルール作成を極めて容易に行うことができ、オペレータの負担を軽減することが可能になる。
【００４６】
なお、上記の実施の形態１において、メッセージ出力部２２から出力される注意喚起用のメッセージをネットワークインタフェイス６からプラントコントローラ２に対して送信する構成とすることもできる。
【００４７】
このようにすれば、プラントコントローラ２に対してメッセージの内容を通知することができるため、プラントコントローラ２に設けられている図示しないマンマシンインタフェイスにおいてプラントの各設備の異常発生を察知することができる。また、設備の稼働を停止するインタロック機能を組み込むことが可能となるので一層利便性の高いシステムを構築することができる。
しかも、プラントがどのような状態になったときに異常な事象が生じるのかをプラントコントローラ２側で解析することができる。
さらに、プラントコントローラ２は、通知を元にプラントに危険性の高い状態が発生したと判断したときには、設備近傍に設置したベル、ランプ、スピーカ等の警報器を作動させて警告を発することができるため、安全性を確保できるとともに、迅速な対処が可能になる。
【００４８】
実施の形態２．
図４は本発明の実施の形態２におけるプラント監視支援システムの全体構成を示すブロック図であり、図１に示した実施の形態１と対応する構成部分には同一の符号を付す。
【００４９】
この実施の形態２におけるプラント監視支援システムの特徴は、マンマシンインタフェイス部５から入力されるプロセスデータの模擬信号と、プラントコントローラ２からネットワークを経由して取り込まれるプロセスデータとのいずれか一方を選択してルール演算部１８に出力するデータ切換手段２５を備えていることである。
【００５０】
このように、データ切換手段２５を設けることにより、例えば、プラント保守時などのように、プラントコントローラ２から中央情報処理装置３に対してプロセスデータが入力されない休止状態にあるときを利用して、ルール作成部１７で作成されたルールの正当性の有無を検証するシミュレーションを実施することができる。
【００５１】
すなわち、ルール作成部１７で新たにルールを作成したような場合、そのルールがプラントの稼働状況を監視する上で実際に正当なものか否かを検証する必要がある。
そこで、実際にプラントコントローラ２からプロセスデータを入力してプラント監視動作を開始する前に、マンマシンインタフェイス部５で作成したプロセスデータの模擬信号をデータ切換手段２５を介してルール演算部１８に入力してルール作成部１７で作成されたルールに従った演算を実行させる。
これにより、新たに作成されたルールの正当性の有無を予め検証することができ、利便性が高まる。
【００５２】
その他の構成、および作用効果は実施の形態１の場合と同様であるから、ここでは詳しい説明は省略する。
【００５３】
【発明の効果】
本発明によれば、ネットワーク上の絶対アドレスを意識することなく、タグという理解しやすい名称でもってプロセスデータを扱うことができる。そして、プラントコントローラからネットワークを経由して取り込まれる特定のプロセスデータの信号名称やネットワーク上での絶対アドレスが変更された場合でも、ルールを定義するプログラム内容を特に変更する必要はなく、タグの割り付けを変更するだけで済むため、プラント監視用のルール作成を極めて容易に行うことができ、オペレータの負担を軽減することができる。
【図面の簡単な説明】
【図１】本発明の実施の形態１におけるプラント監視支援システムの全体構成を示すブロック図である。
【図２】プラントの一例である原料切出装置の構成図である。
【図３】ルール作成用画面の一例を示す説明図である。
【図４】本発明の実施の形態２におけるプラント監視支援システムの全体構成を示すブロック図である。
【符号の説明】
１  プラント監視支援システム、２  プラントコントローラ、３  中央情報処理装置、５  マンマシンインタフェイス、１１〜１４  第１〜第４タグ割付部（タグ割付手段）、１５  第５タグ割付部（タグ再割付手段）、１７  ルール作成部（ルール作成手段）、１８  ルール演算部（ルール演算手段）、２０  記録部（記録手段）、２１  ＷＡＶファイル再生部（音声再生手段）、２２  メッセージ出力部（メッセージ出力手段）、２５  データ切換手段。
【図１】
2005004598.tif 000003
【図２】
2005004598.tif 000004
【図３】
2005004598.tif 000005
【図４】
2005004598.tif 000006